(57)【要約】      （修正有）【課題】風力、太陽光の双方の自然エネルギーを利用可能で、搬送に便利で、組み立ても簡略であり、自然エネルギー利用可搬・組み立て式発電システムを提供する。【解決手段】折り畳み及び伸縮可能に構成した支持脚体１０２と、垂直軸型の風車軸１１５と、垂直翼型の複数のブレード１１３と、複数のアーム１１７を用いた折り畳み・展開アーム部とを有する風車部１１２と、この風車部の回転力により発電する発電機１と、を具備する風力発電手段１１１と、折り畳み・展開可能な太陽光発電パネル２０１を箱入りとした太陽光発電手段２０１と、風力発電手段１１１、太陽光発電手段２０１の発電出力により充電されるバッテリーを内蔵し、負荷への電力供給を行う箱入りのコントロール部２１１と、を有し、支持脚体１０２、風力発電手段１１１、太陽光発電手段及びコントロール部２１１を、個別状態と、組み立て状態とに使い分けるように構成したものである。【選択図】図２
2011117363.tif 000002
【特許請求の範囲】
【請求項１】
三脚状で、折り畳み及び伸縮可能に構成した支持脚体と、
垂直軸型の風車軸と、垂直翼型の複数のブレードと、一端側と前記風車軸側との間を内側ヒンジ部を介して連結し、他端側と前記各ブレードとの間を外側ヒンジ部を介して連結して、前記各ブレードを風車軸に近接する位置と風力を受け回転する使用位置とにわたって変位させる複数のアームを用いた折り畳み・展開アーム部とを有する風車部と、この風車部の回転力により発電する発電機と、を具備し、前記支持脚体頂部に発電機を水平配置となるように着脱可能に取り付け、前記発電機上に風車軸を前記発電機にその回転力を伝達可能に垂直配置に取り付けた風力発電手段と、
折り畳み・展開可能な太陽光発電パネルを箱入りとした太陽光発電手段と、
前記風力発電手段、太陽光発電手段の発電出力により充電されるバッテリーを内蔵し、負荷への電力供給を行う箱入りのコントロール部と、
を有し、
前記支持脚体、風力発電手段、太陽光発電手段及びコントロール部を、個別状態と、組み立て状態とに使い分けるように構成したことを特徴とする自然エネルギー利用可搬・組み立て式発電システム。
【請求項２】
三脚状で、折り畳み及び伸縮可能に構成した支持脚体と、
垂直軸型の風車軸と、垂直翼型の３枚のアルミニウム合金材を用いたブレードと、各々の一端側を、前記風車軸の上部に設けた上側の内側ヒンジ部及び前記風車軸の下部位置で発電機上に設けた下側の内側ヒンジ部を介して風車軸側に連結し、各々の他端側を、前記各ブレード裏面の上部、下部に設けた上側の外側ヒンジ部、下側の外側ヒンジ部を介して各ブレードに連結して、前記３枚のブレードを風車軸に近接する位置と風力を受け回転する使用位置とにわたって変位させる上下３個ずつのアームを用いた折り畳み・展開アーム部とを有する風車部と、この風車部の回転力により発電する発電機と、を具備し、前記支持脚体頂部に発電機を水平配置となるように着脱可能に取り付け、前記発電機上に風車軸を前記発電機にその回転力を伝達可能に垂直配置に取り付けた風力発電手段と、
折り畳み・展開可能な太陽光発電パネルを箱入りとした太陽光発電手段と、
前記風力発電手段、太陽光発電手段の発電出力により充電されるバッテリーを内蔵し、
負荷への電力供給を行う箱入りのコントロール部と、
を有し、
前記支持脚体、風力発電手段、太陽光発電手段及びコントロール部を、
個別状態と、前記風力発電手段を取り付けた支持脚体を開脚状態、風車部を風力を受け回転する使用位置、太陽光発電パネルを展開状態とし、発電機、太陽光発電パネルをコントロール部に接続した組み立て状態とに使い分けるように構成したことを特徴とする自然エネルギー利用可搬・組み立て式発電システム。
【請求項３】
三脚状で、折り畳み及び伸縮可能に構成した支持脚体と、
垂直軸型の風車軸と、垂直翼型で風力エネルギーを裏面側から捉える開口部を設けた３枚のアルミニウム合金材を用いたブレードと、各々の一端側を、前記風車軸の上部に設けた上側の内側ヒンジ部及び前記風車軸の下部位置で発電機上に設けた下側の内側ヒンジ部を介して風車軸側に連結し、各々の他端側を、前記各ブレード裏面の上部、下部に設けた上側の外側ヒンジ部、下側の外側ヒンジ部を介して各ブレードに連結して、前記３枚のブレードを風車軸に近接する位置と風力を受け回転する使用位置とにわたって変位させる上下３個ずつのアームを用いた折り畳み・展開アーム部とを有する風車部と、この風車部の回転力により発電するアウターロータ・コアレス同軸反転式発電機と、を具備し、前記支持脚体頂部に発電機を水平配置となるように着脱可能に取り付け、前記発電機上に風車軸を前記発電機にその回転力を伝達可能に垂直配置に取り付けた風力発電手段と、
折り畳み・展開可能な太陽光発電パネルを箱入りとした太陽光発電手段と、
前記風力発電手段、太陽光発電手段の発電出力により充電されるバッテリーを内蔵し、負荷への電力供給を行う箱入りのコントロール部と、
を有し、
前記支持脚体、風力発電手段、太陽光発電手段及びコントロール部を、
個別状態と、前記風力発電手段を取り付けた支持脚体を開脚状態、風車部を風力を受け回転する使用位置、太陽光発電パネルを展開状態とし、発電機、太陽光発電パネルをコントロール部に接続した組み立て状態とに使い分けるように構成したことを特徴とする自然エネルギー利用可搬・組み立て式発電システム。
【請求項４】
前記アウターロータ・コアレス同軸反転式発電機は、前記支持脚体により垂直配置に固定支持された発電機軸と、該発電機軸により回転可能に支持され、前記風車部により回転駆動されるマグネット付きのアウターロータと、前記アウターロータ内に同軸配置にかつ発電機軸により支持されて回転可能に内蔵され、前記マグネットと対応配置にコイル部を配置したコアレス型コイル体と、前記発電機軸により軸支され、前記アウターロータ、コアレス型コイル体双方に円形配置に設けた円形ギアとギア結合してアウターロータの回転に応じてコアレス型コイル体を逆方向に回転させる逆転用ギアと、を有し、前記アウターロータ、コアレス型コイル体の逆方向の回転による前記マグネットとコイル部との相対速度の上昇に応じた発電出力を前記コアレス型コイル体のコイル部出力端から前記発電機軸の周りに固定配置した集電子を介して取り出すように構成したことを特徴とする請求項１乃至３のいずれかに記載の自然エネルギー利用可搬・組み立て式発電システム。
【請求項５】
三脚状で、折り畳み及び伸縮可能に構成した支持脚体と、
垂直軸型の風車軸と、垂直翼型で風力エネルギーを裏面側から捉える開口部を設けた３枚のアルミニウム合金材を用いたブレードと、各々の一端側を、前記風車軸の上部に設けた上側の内側ヒンジ部及び前記風車軸の下部位置で発電機上に設けた下側の内側ヒンジ部を介して風車軸側に連結し、各々の他端側を、前記各ブレード裏面の上部、下部に設けた上側の外側ヒンジ部、下側の外側ヒンジ部を介して各ブレードに連結して、前記３枚のブレードを風車軸に近接する位置と風力を受け回転する使用位置とにわたって変位させる上下３個ずつのアームを用いた折り畳み・展開アーム部とを有する風車部と、この風車部の回転力により発電するアウターロータ・コアレス同軸反転式発電機と、を具備し、前記支持脚体頂部に発電機を水平配置となるように着脱可能に取り付け、前記発電機上に風車軸を前記発電機にその回転力を伝達可能に垂直配置に取り付けた風力発電手段と、
前記風力発電手段の発電出力により充電されるバッテリーを内蔵し、負荷への電力供給を行う箱入りのコントロール部と、
を有し、
前記支持脚体、風力発電手段及びコントロール部を、
個別状態と、前記風力発電手段を取り付けた支持脚体を開脚状態、風車部を風力を受け回転する使用位置とし、発電機をコントロール部に接続した組み立て状態とに使い分けるように構成したことを特徴とする自然エネルギー利用可搬・組み立て式発電システム。
【請求項６】
前記アウターロータ・コアレス同軸反転式発電機は、前記支持脚体により垂直配置に固定支持された発電機軸と、該発電機軸により回転可能に支持され、前記風車部により回転駆動されるマグネット付きのアウターロータと、前記アウターロータ内に同軸配置にかつ発電機軸により支持されて回転可能に内蔵され、前記マグネットと対応配置にコイル部を配置したコアレス型コイル体と、前記発電機軸により軸支され、前記アウターロータ、コアレス型コイル体双方に円形配置に設けた円形ギアとギア結合してアウターロータの回転に応じてコアレス型コイル体を逆方向に回転させる逆転用ギアと、を有し、前記アウターロータ、コアレス型コイル体の逆方向の回転による前記マグネットとコイル部との相対速度の上昇に応じた発電出力を前記コアレス型コイル体のコイル部出力端から前記発電機軸の周りに固定配置した集電子を介して取り出すように構成したことを特徴とする請求項５に記載の自然エネルギー利用可搬・組み立て式発電システム。
【発明の詳細な説明】
【技術分野】
【０００１】
本発明は、自然エネルギー利用可搬・組み立て式発電システムに関するものである。
【背景技術】
【０００２】
近年、有害排出ガス削減による自然環境保護、自然エネルギー活用の観点から、世界各国で風力発電システムや太陽光発電システムの開発が進められている。
【０００３】
しかし、従来の風力発電システムの場合、風通しのよい市街地の高台や丘陵地域、さらには海岸近く等に設置される大規模のものが殆どである。
【０００４】
また、従来の太陽光発電システムの場合、ビネデイングの屋上や家屋の屋根上、さらには市街地近傍の平坦な丘陵地域等に設置されるものが殆どである。
【０００５】
このため、自然災害時等の緊急時の電力源として、また、電力設備の無い地域の電力源として、風力、太陽光のような自然エネルギーを利用でき、かつ、搬送に便利で、組み立ても簡略であり、所望の設置場所において組み立て可能な自然エネルギー利用可搬・組み立て式発電システムの出現が要請されているところである。
【０００６】
特許文献１には、風車翼を備えた回転軸を鉛直方向に配置し、この風車翼より上側および下側の回転軸の所定の位置に軸受けを加えた羽根車部と、前記羽根車部が軸受けを介して取り付く支持枠構造体部と、前記回転軸の鉛直下端に備えた増速部および発電部を備え、各部を１つ毎の単位として形成し、前記各部を一体化する構造を設け設置場所での施工性の向上を図った風力発電装置が提案されている。
【０００７】
特許文献２には、避難場所等に設置される濾過機能を備えた可搬式の雨水貯留タンクと、真空貯湯型の可搬式太陽熱集熱器とを有し、雨水貯留タンク内に予め貯水された雨水を一方ではトイレ排水として供給し、他方では太陽熱集熱器に供給して簡易給湯を行なうようなポンプを配設し、災害時には、予め蓄電したバッテリーによりポンプを作動させるように構成した災害時支援システムが提案されている。
【０００８】
しかし、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能なような自然エネルギー利用可搬・組み立て式発電システムは存在しないのが実情である。
【先行技術文献】
【特許文献】
【０００９】
【特許文献１】特開２００１−２９５７５０号公報
【特許文献２】特開２００４−０４４０８９号公報
【発明の概要】
【発明が解決しようとする課題】
【００１０】
本発明が解決しようとする問題点は、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能なような自然エネルギー利用可搬・組み立て式発電システムが存在しない点である。
【課題を解決するための手段】
【００１１】
本発明に係る自然エネルギー利用可搬・組み立て式発電システムは、三脚状で、折り畳み及び伸縮可能に構成した支持脚体と、垂直軸型の風車軸と、垂直翼型の複数のブレードと、一端側と前記風車軸側との間を内側ヒンジ部を介して連結し、他端側と前記各ブレードとの間を外側ヒンジ部を介して連結して、前記各ブレードを風車軸に近接する位置と風力を受け回転する使用位置とにわたって変位させる複数のアームを用いた折り畳み・展開アーム部とを有する風車部と、この風車部の回転力により発電する発電機と、を具備し、前記支持脚体頂部に発電機を水平配置となるように着脱可能に取り付け、前記発電機上に風車軸を前記発電機にその回転力を伝達可能に垂直配置に取り付けた風力発電手段と、折り畳み・展開可能な太陽光発電パネルを箱入りとした太陽光発電手段と、前記風力発電手段、太陽光発電手段の発電出力により充電されるバッテリーを内蔵し、負荷への電力供給を行う箱入りのコントロール部と、を有し、前記支持脚体、風力発電手段、太陽光発電手段及びコントロール部を、個別状態と、組み立て状態とに使い分けるように構成したことを最も主要な特徴とする
【発明の効果】
【００１２】
請求項１記載の発明によれば、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能な自然エネルギー利用可搬・組み立て式発電システムを提供することができる。
【００１３】
請求項２記載の発明によれば、垂直軸型の風車軸と、垂直翼型の３枚のブレードと、上下３個ずつのアームを用いた折り畳み・展開アーム部とを有する風車部と、この風車部の回転力により発電する発電機と、折り畳み・展開可能な太陽光発電パネルを箱入りとした太陽光発電手段と、前記風力発電手段、太陽光発電手段の発電出力により充電されるバッテリーを内蔵し、負荷への電力供給を行う箱入りのコントロール部とを有する構成で、請求項１記載の発明と同様、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能な自然エネルギー利用可搬・組み立て式発電システムを提供することができる。
【００１４】
請求項３記載の発明によれば、垂直軸型の風車軸と、垂直翼型の３枚構成で裏面側に風力エネルギーを効率よく捉えるブレードと、上下３個ずつのアームを用いた折り畳み・展開アーム部とを有する風車部と、この風車部の回転力により発電するアウターロータ・コアレス同軸反転式発電機と、折り畳み・展開可能な太陽光発電パネルを箱入りとした太陽光発電手段と、前記風力発電手段、太陽光発電手段の発電出力により充電されるバッテリーを内蔵し、負荷への電力供給を行う箱入りのコントロール部とを有する構成で、請求項１記載の発明と同様、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能な自然エネルギー利用可搬・組み立て式発電システムを提供することができる。
【００１５】
請求項４記載の発明によれば、アウターロータ・コアレス同軸反転式発電機を、支持脚体により垂直配置に固定支持された発電機軸と、該発電機軸により回転可能に支持され、前記風車部により回転駆動されるマグネット付きのアウターロータと、前記アウターロータ内に同軸配置にかつ発電機軸により支持されて回転可能に内蔵され、前記マグネットと対応配置にコイル部を配置したコアレス型コイル体と、前記発電機軸により軸支され、前記アウターロータ、コアレス型コイル体双方に円形配置に設けた円形ギアとギア結合してアウターロータの回転に応じてコアレス型コイル体を逆方向に回転させる逆転用ギアと、を有し、前記アウターロータ、コアレス型コイル体の逆方向の回転による前記マグネットとコイル部との相対速度の上昇に応じた発電出力を前記コアレス型コイル体のコイル部出力端から前記発電機軸の周りに固定配置した集電子を介して取り出す構成ととして、請求項３記載の発明と同様効果を発揮する自然エネルギー利用可搬・組み立て式発電システムを提供することができる。
【００１６】
請求項５記載の発明によれば、風力からなる自然エネルギーを利用可能で自然環境への悪影響が無く、しかも、搬送に便利で、組み立ても簡略であり、所望の設置場所へ極めて容易に設置して所望の電力負荷への給電が可能であるという顕著な効果を奏する自然エネルギー利用可搬・組み立て式発電システムを提供することができる。
【００１７】
請求項６記載の発明によれば、アウターロータ・コアレス同軸反転式発電機を、支持脚体により垂直配置に固定支持された発電機軸と、該発電機軸により回転可能に支持され、前記風車部により回転駆動されるマグネット付きのアウターロータと、前記アウターロータ内に同軸配置にかつ発電機軸により支持されて回転可能に内蔵され、前記マグネットと対応配置にコイル部を配置したコアレス型コイル体と、前記発電機軸により軸支され、前記アウターロータ、コアレス型コイル体双方に円形配置に設けた円形ギアとギア結合してアウターロータの回転に応じてコアレス型コイル体を逆方向に回転させる逆転用ギアと、を有し、前記アウターロータ、コアレス型コイル体の逆方向の回転による前記マグネットとコイル部との相対速度の上昇に応じた発電出力を前記コアレス型コイル体のコイル部出力端から前記発電機軸の周りに固定配置した集電子を介して取り出す構成ととして、請求項５記載の発明と同様効果を発揮する自然エネルギー利用可搬・組み立て式発電システムを提供することができる。
【図面の簡単な説明】
【００１８】
【図１】図１は本発明の実施例１に係る自然エネルギー利用可搬・組み立て式発電システムの折り畳み状態の風力発電手段、折り畳み状態の支持脚体、箱入りの太陽光発電手段及び箱入りのコントロール部を示す概略斜視図である。
【図２】図２は本実施例１に係る自然エネルギー利用可搬・組み立て式発電システムの使用状態を示す概略斜視図である。
【図３】図３は本実施例１に係る自然エネルギー利用可搬・組み立て式発電システムの折り畳み状態の風力発電手段に支持脚体を装着した状態と、開蓋した箱内の太陽光発電手段及び箱入りのコントロール部とを示す概略斜視図である。
【図４】図４は本実施例１に係る自然エネルギー利用可搬・組み立て式発電システムの折り畳み状態の風力発電手段に支持脚体を装着し開脚した状態と、太陽光発電手段の太陽光パネルを途中まで展開した状態とを示す概略斜視図である。
【図５】図６は本実施例１に係る自然エネルギー利用可搬・組み立て式発電システムの風車軸、発電機、支持脚体の連結状態を示す部分拡大概略図である。
【図６】図６は本実施例１に係る自然エネルギー利用可搬・組み立て式発電システムの発電機の部分拡大概略断面図である。
【図７】図７は本実施例１に係る自然エネルギー利用可搬・組み立て式発電システムの発電機、支持脚体の部分拡大概略断面図である。
【図８】図８は本実施例１に係る自然エネルギー利用可搬・組み立て式発電システムの風車軸、発電機、下側のアーム、上側のアーム及びブレードを示す部分拡大斜視図である。
【図９】図９は本実施例１に係る自然エネルギー利用可搬・組み立て式発電システムの風車軸、発電機、下側のアーム及びブレードを示す部分拡大斜視図である。
【図１０】図１０は本実施例１に係る自然エネルギー利用可搬・組み立て式発電システムの発電機に対するアームの取り付け構造及びブレードを示す部分拡大斜視図である。
【図１１】図１１は本実施例１に係る自然エネルギー利用可搬・組み立て式発電システムの風車軸、発電機、下側のアームの取り付け構造を示す部分拡大斜視図である。
【図１２】図１２は本実施例１に係る自然エネルギー利用可搬・組み立て式発電システムの発電機上おける下側のアーム固定態様を示す説明図である。
【図１３】図１３は本発明の実施例２に係る自然エネルギー利用可搬・組み立て式発電システムの使用状態を示す概略斜視図である。
【発明を実施するための形態】
【００１９】
本発明は、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能な自然エネルギー利用可搬・組み立て式発電システムを提供するという目的を、三脚状で、折り畳み及び伸縮可能に構成した支持脚体と、垂直軸型の風車軸と、垂直翼型で風力エネルギーを裏面側から捉える開口部を設けた３枚のアルミニウム合金材を用いたブレードと、各々の一端側を、前記風車軸の上部に設けた上側の内側ヒンジ部及び前記風車軸の下部位置で発電機上に設けた下側の内側ヒンジ部を介して風車軸側に連結し、各々の他端側を、前記各ブレード裏面の上部、下部に設けた上側の外側ヒンジ部、下側の外側ヒンジ部を介して各ブレードに連結して、前記３枚のブレードを風車軸に近接する位置と風力を受け回転する使用位置とにわたって変位させる上下３個ずつのアームを用いた折り畳み・展開アーム部とを有する風車部と、この風車部の回転力により発電するアウターロータ・コアレス同軸反転式発電機と、を具備し、前記支持脚体頂部に発電機を水平配置となるように着脱可能に取り付け、前記発電機上に風車軸を前記発電機にその回転力を伝達可能に垂直配置に取り付けた風力発電手段と、折り畳み・展開可能な太陽光発電パネルを箱入りとした太陽光発電手段と、前記風力発電手段、太陽光発電手段の発電出力により充電されるバッテリーを内蔵し、負荷への電力供給を行う箱入りのコントロール部と、を有し、前記支持脚体、風力発電手段、太陽光発電手段及びコントロール部を、個別状態と、前記風力発電手段を取り付けた支持脚体を開脚状態、風車部を風力を受け回転する使用位置、太陽光発電パネルを展開状態とし、発電機、太陽光発電パネルをコントロール部に接続した組み立て状態とに使い分ける構成により実現した。
【実施例１】
【００２０】
以下に本発明の実施例１に係る自然エネルギー利用可搬・組み立て式発電システムについて図面を参照して詳細に説明する。
【００２１】
本実施例１に係る自然エネルギー利用可搬・組み立て式発電システム１０１は、図１乃至図４に示すように、三脚状で、折り畳み可能であり、かつ、多段の脚部１０３を伸縮可能に構成し、作業者一人にて搬送可能とした支持脚体１０２と、支持脚体１０２上に設置される作業者一人にて搬送可能な風力発電手段１１１と、折り畳み・展開可能とした例えば２個構成の薄型の太陽光発電パネル２０２を作業者一人にて搬送可能な蓋付きの箱２０３に対して収納、取り出し可能とした太陽光発電手段２０１と、前記風力発電手段１１１、太陽光発電手段２０１の発電出力により充電される図示しないバッテリーを内蔵し、負荷への電力供給を行う作業者一人にて搬送可能な蓋付きの箱２１２入りのコントロール部２１１と、を有している。前記支持脚体１０２の最下段の地面等に接触する脚部１０３の先端には、図１１に示すように杭打ち用の凹部１０４を設けている。
【００２２】
前記風力発電手段１１１は、前記支持脚体１０２の頂部に、詳細は後述するアウターロータ・コアレス同軸反転式発電機（以下単に「発電機」という）１を水平配置となるように着脱可能に取り付け、前記発電機１上に風車軸１１５を前記発電機１にその回転力を伝達可能に垂直配置に取り付けるようになっている。
【００２３】
そして、前記支持脚体１０２、風力発電手段１１１、太陽光発電手段２０１及びコントロール部２１１を、図１に示すように、これらが個々別々に搬送可能な個別状態と、図２に示すように、前記風力発電手段１１１を取り付けた支持脚体１０２を開脚状態、風力発電手段１１１の風車部１１２を風力を受け回転する使用位置、前記太陽光発電パネル２０２を平坦な展開状態とするとともに、前記発電機１を出力ケーブル４４を介してコントロール部２１１に接続し、前記太陽光発電パネル２０２を出力ケーブル２０４を介してコントロール部２１１に接続した組み立て状態とに使い分けるように構成している。
前記コントロール部２１１の箱２１２には、例えば負荷接続用のコンセント部２１３を設けている。
【００２４】
図３は、本実施例１に係る自然エネルギー利用可搬・組み立て式発電システム１０１の折り畳み状態の風力発電手段１１１に支持脚体１０２を装着した状態と、開蓋した箱２０３内の太陽光発電パネル２０２及び箱２１２入りのコントロール部２１１を示すものである。
【００２５】
また、図４は、本実施例１に係る自然エネルギー利用可搬・組み立て式発電システム１０１の開脚した支持脚体１０２に折り畳み状態の風力発電手段１１１を装着し、太陽光発電手段２０１の太陽光発電パネル２０２を途中まで展開した状態を示すものである。
【００２６】
前記風力発電手段１１１の風車部１１２は、前記風車軸１１５と、例えばジャイロミル形（垂直軸垂直翼タイプ）で、長さ方向と直交する方向の断面（又は端面）が流線形のアルミニウム合金材を用いたブレード１１３を例えば３枚有し、また、各ブレード１１３の裏面には風力エネルギーを裏面側から捉える開口部１１４を設けている。
【００２７】
そして、前記各ブレード１１３を上下３個ずつのアーム１１７及び詳細は後述する折り畳み・展開アーム部１１６を介して前記風車軸１１５に折り畳み・展開可能に取り付けるように構成している。
【００２８】
また、前記風車部１１２の各ブレード１１３、各アーム１１７は、工具等を用いずに前記発電機１に対して着脱可能に構成しているが、この構造については後述する。
【００２９】
次に、図５、図６、図７を参照して、前記風力発電手段１１１の発電機１及び支持脚体１０２について詳述する。
【００３０】
前記発電機１は、発電機本体１０と、この発電機本体１０を回転可能に支持する軸支体１１とを有し、この軸支体１１を前記支持脚体１０２の頂部に設けた円筒部１０５に着脱可能に嵌装するとともに、ボルト１０６を用いて前記円筒部１０５内において一体的に固定するようになっている。
【００３１】
前記発電機本体１０は、図６に示すように、前記風車部１１２の回転力を受けて回転するアウターロータ１２と、このアウターロータ１２の中央部を軸支し、該アウターロータ１２を回転可能とする発電機軸１３と、前記発電機軸１３により中央部が支持される状態でアウターロータ１２内に内蔵した円盤状のコアレス型コイル体（円盤状に圧縮されたコイルの束）１４と、を有している。
【００３２】
前記発電機軸１３は、下端にネジ１３ａを、このネジ１３ａの上方に大径部１３ｂを、この大径部１３ｂの下側に突出円板部１３ｃを設けている。
【００３３】
前記アウターロータ１２は、下側が開口した皿円盤状の上部ロータ２１と、上側が開口した皿円盤状の下部ロータ３１とを上下配置に突き合わせて接合し、両者の外周近傍位置において、円形に配列する多数の固定ボルト２２を用いて一体的に固定されるようになっている。
【００３４】
前記アウターロータ１２のうちの上部ロータ２１は、その中央部に上側に突出する取り付け部２１ａを設け、この取り付け部２１ａに風車部１１２を構成する円筒状の風車軸１１５の下端１１５ａを取り付けている。
【００３５】
前記風車取り付け部２１ａには、円形配置に多数のネジ孔２１ｂが設けられ、前記風車軸１１５の下端１１５ａに接合して取り付けボルト８０により上部ロータ２１と前記風車軸１１５とを一体的に結合し、風車部１１２の回転力を風車軸１１５を介して前記発電機１に伝達するように構成している。
【００３６】
また、前記発電機軸１３における大径部１３ｂの上面側と、その近傍の上部ロータ２１の内底部との間に主軸受２３を配置し、上部ロータ２１、したがってアウターロータ１２を回転可能に軸支している。
【００３７】
前記上部ロータ２１の内底部における前記主軸受２３の外側位置には、大径部１３ｂよりも若干大きい内径を有する円形突部２５が設けられ、この円形突部２５の下端面に全周にわたって円形ギア２６を設けている。
【００３８】
前記上部ロータ２１の内底部における外周近傍位置には、端面を内底面に臨ませる状態で所要数のマグネット２４を円形配置に埋設している。
【００３９】
前記下部ロータ３１は、前記上部ロータ２１と上下略対称形状に形成されている。すなわち、その中央部上面には前記突出円板部１３ｃが入り込む円形凹段部３２が設けられるとともに、この円形凹段部３２の中心位置を前記発電機軸１３が貫通するように構成している。
【００４０】
また、下部ロータ３１の内底部における外周近傍位置には、端面を内底面に臨ませる状態で、かつ、前記上部ロータ２１側のマグネット２４と対向する配置で所要数のマグネット２４を円形配置に埋設している。
【００４１】
このような上部ロータ２１、下部ロータ３１の構成により、両者の内部にコアレス型コイル体１４を収容する収容室３３を形成している。
【００４２】
前記下部ロータ３１の下面側には、その中央部に下側に突出する円柱状の取り付け部３４を設け、この取り付け部３４に円形配置にネジ孔３５を設けている。
【００４３】
前記コアレス型コイル体１４は、前記収容室３３内において前記アウターロータ１２と同軸配置されるとともに、その中央部には、前記上部ロータ２１の円形突部２５が入り込む内径を有する上孔と、前記発電機軸１３の大径部１３ｂより若干大径の下孔とが設けられ、大径部１３ｂが貫通するように構成している。
【００４４】
そして、大径部１３ｂの下端外周と、前記コアレス型コイル体１４の下孔との間に配置した軸受４６を介してコアレス型コイル体１４を前記発電機軸１３により回転可能に支持している。
【００４５】
また、前記コアレス型コイル体１４の上面には、前記上部ロータ２１側のマグネット２４と対応配置で、かつ、近接する状態にコイル部４１を配置し、同様にその下面には、前記下部ロータ３１側のマグネット２４と対応配置で、かつ、近接する状態にコイル部４１を配置している。
【００４６】
さらに、前記コアレス型コイル体１４における上下の各コイル部４１における各コイル部出力端４２は、このコアレス型コイル体１４の下面に臨む位置に配置され、前記円形凹段部３２内に位置する発電機軸１３における突出円板部１３ｃに対向させるように構成している。
【００４７】
そして、前記突出円板部１３ｃの上面に設けた前記各コイル部出力端４２に対応する配置の各ブラシ（集電子）４３、この各ブラシ４３に接続した出力ケーブル４４を介して発電機本体１０による発電出力を取り出すように構成している。
【００４８】
前記各コイル部出力端４２、ブラシ４３の構成に替えて、例えば一次トランス、二次トランスの電磁誘導結合を利用する構成や、コアレス型コイル体１４に磁石を、突出円板部１３ｃ側にコイル及び転流用の電子回路を設けた構成等からなるブラシレス型の集電子とすることもできる。
【００４９】
前記前記コアレス型コイル体１４における下孔を形成する円形突出部１４ａの上面側（上孔側）には、前記円形突部２５の円形ギア２６と同様な円形ギア４５を全周にわたって設けている。
【００５０】
また、前記発電機軸１３の大径部１３ｂ外周には、前記上孔内に位置して回転軸を水平方向とした複数の逆転用ギア５１が取り付けられ、この逆転用ギア５１を前記円形ギア２６、円形ギア４５に各々ギア結合している。
【００５１】
このような構成により、前記アウターロータ１２が図６に示す矢印ａ方向（反時計方向）に回転するとき、コアレス型コイル体１４は逆転用ギア５１により図６に示す矢印ｂ方向（時計方向）に逆回転するように構成している。
【００５２】
すなわち、前記アウターロータ１２と、コアレス型コイル体１４とを逆転用ギア５１を用いて同軸反転するように構成している。
【００５３】
前記軸支体１１は、前記発電機軸１３を中央孔６１ａ内に嵌装して下方に突出させ、発電機軸１３のネジ１３ａに下側からナット６２をねじ込んで固定支持する固定支持体６１と、この固定支持体６１上に密接状態で配置され中央部に設けた前記中央孔６１ａと同径の貫通孔７１ａを前記発電機軸１３が貫通する回転支持体７１との重合構造としている。
【００５４】
すなわち、前記回転支持体７１は固定支持体６１に対してこれら両者間に設けた軸受６３を介して回転可能に支持されるとともに、固定支持体６１の上面外周部に設けた円形溝６１ｂに回転支持体７１の下面外周部に設けた円形突条７１ｂを嵌め込み、これにより、回転支持体７１は固定支持体６１上で密接しつつ円滑に回転し得るように構成している。
【００５５】
前記固定支持体６１の側面には、中央孔６１ａの軸線方向と直交する配置にネジ孔６４が設けられ、固定支持体６１の下側を前記支持脚体１０２の円筒部１０５に着脱可能に嵌装するとともに、ボルト１０６をネジ孔６４にねじ込み締め付けることで前記発電機１を前記支持脚体１０２に水平配置に取り付けるようになっている。
【００５６】
前記回転支持体７１には、前記下部ロータ３１における取り付け部３４のネジ孔３５に対応する配置に取り付けボルト７２が配置され、回転支持体７１と固定支持体６１とを組み付ける前段階において、この回転支持体７１を前記下部ロータ３１に取り付け、その後固定支持体６１を回転支持体７１に組み付けるように構成している。
【００５７】
前記回転支持体７１における貫通孔７１ａの上端部には、発電機軸１３用の支持軸受７３を配置している。
【００５８】
尚、図６において、５２は上部ロータ２１とコアレス型コイル体１４間、及び、下部ロータ３１とコアレス型コイル体１４間に各々配置したコロ軸受である。
【００５９】
前記発電機１によれば、前記風車部１１２が風エネルギーにより例えば図６示す矢印ａ方向に回転するとき、前記アウターロータ１２も矢印ａ方向に回転し、このアウターロータ１２の回転力は、逆転用ギア５１に伝達され、この結果逆転用ギア５１を介してコアレス型コイル体１４は図６に示す矢印ｂ方向に回転する（同軸反転）。
【００６０】
この結果、前記各マグネット２４とコイル部４１との相対速度の上昇に応じた大きい発電出力を前記コアレス型コイル体１４のコイル部出力端４２から前記ブラシ４３、出力ケーブル４４を介して図示しないコントローラに伝送し、さらには図示しない負荷に電力供給を行うことができる。
【００６１】
さらに詳述すると、前記発電機１によれば、前記アウターロータ１２とコアレス型コイル体１４とを前記風車部１１２の回転に応じて逆転用ギア５１という簡略な要素のみで同軸反転させるように構成しているので、通常のロータ、ステータを使用する発電機に比べてアウターロータ１２、コアレス型コイル体１４間に例えば２倍の相対速度を得ることができ、同一の風エネルギーという条件下において通常の風力発電用の発電機よりも大きい発電出力を得ることが可能となる。具体的には、通常の発電機において１００の回転速度で発電出力が１００であると仮定した場合、本実施例に係る発電機１によれば、５０の回転速度で１００の発電出力を得ることができる。又は、１００の回転速度であれば２００の発電出力を得ることができる。
【００６２】
次に、図８乃至図１２を参照して前記折り畳み・展開アーム部１１６及び前記風車部１１２の各ブレード１１３、各アーム１１７の前記発電機１に対する取り付け構造について説明する。
【００６３】
図８、図９は本実施例１に係る自然エネルギー利用可搬・組み立て式発電システム１０１における風力発電手段１１１の風車軸１１５、発電機１、下側のアーム１１７、上側のアーム１１７及び各ブレード１１３を示すものである。
【００６４】
前記折り畳み・展開アーム部１１６は、前記発電機１の中心部から垂直上方に立設させる風車軸１１５の上端及び風車軸１１５の前記発電機１から突出する位置の回りに対して、上下３個ずつのアーム１１７の一端側を上側の内側ヒンジ部１１８Ａ及び下側の内側ヒンジ部１１９Ａを介して前記風車軸１１５の回りに１２０度等間隔配置となるように取り付け、また、上下３個ずつのアーム１１７の他端側を上側の外側ヒンジ部１１８Ｂ及び下側の外側ヒンジ部１１９Ｂを介して各ブレード１１３の裏面に所定の間隔をもって取り付け、これにより、前記３枚のブレード１１３を、図１に示す風車軸１１５に近接する位置（折り畳み位置）と、風力を受け回転する図２に示す使用位置（展開位置）とにわたって折り畳み、展開可能となるように構成している。
【００６５】
すなわち、上側の内側ヒンジ部１１８Ａは、前記風車軸１１５の上端部分に１２０度等間隔配置に３個設けており、下側の内側ヒンジ部１１９Ａは前記風車軸１１５の下部（発電機１の上端面上側）に１２０度等間隔配置に３個設けている。
【００６６】
また、上側の外側ヒンジ部１１８Ｂ及び下側の外側ヒンジ部１１９Ｂは、各ブレード１１３の裏面におけるその長さ方向中心位置の上方位置及び下方位置に１個ずつ設けている。
【００６７】
さらに、前記３個の下側の内側ヒンジ部１１９Ａは、前記発電機１の上端面に対して着脱可能に構成している。
【００６８】
この３個の下側の内側ヒンジ部１１９Ａの前記発電機１の上端面への取り付け構造について、図１０乃至図１２をも参照して以下に説明する。
【００６９】
すなわち、この取り付け構造は、図１０に拡大して示すように、前記発電機１の上端面から垂直上方に円周方向１２０度等間隔配置に立設した３個のネジ体１２０と、中央部を前記風車軸１１５が貫通するとともに外周部に前記３個のネジ体１２０に嵌合する３個の凹陥部１２１ａを設けた着脱円盤体１２１と、この着脱円盤体１２１上でその外周外側に突出する状態で固着されるとともに、前記凹陥部１２１ａに対応する形状の凹部１２２ａを設けた３個の平坦受体１２２と、側面Ｕ状に形成されるとともに前記３個の平坦受体１２２上に各々固着さられる３個の内側ヒンジ部受具１２３と、ラチェット式締め付けハンドル１２４とを具備している。
【００７０】
そして、着脱円盤体１２１の各凹陥部１２１ａ、各平坦受体１２２の凹部１２２ａを図１０に示すように各々前記各ネジ体１２０に嵌合させ、３個のネジ体１２０にラチェット式締め付けハンドル１２４の基部側をネジ結合し、このラチェット式締め付けハンドル１２４をラチェット式で往復締め付け操作することによって、前記ラチェット式締め付けハンドル１２４に設けた段部１２４ａにより前記凹部１２２ａ、凹陥部１２１ａの周辺部を発電機１側に押圧接合し、これにより、前記平坦受体１２２とともに着脱円盤体１２１を発電機１の上端面に一体的に固定するように構成している。
【００７１】
逆に、ラチェット式締め付けハンドル１２４を緩める側に操作することによって、前記平坦受体１２２とともに着脱円盤体１２１を発電機１の上端面から離脱可能とし、この状態で着脱円盤体１２１を風車軸１１５の上方へ引き抜き可能としている。
【００７２】
このとき、前記各アーム１１７及び各ブレード１１３も着脱円盤体１２１とともに風車軸１１５の上方へ引き抜かれることになる。
【００７３】
上述したラチェット式締め付けハンドル１２４を採用することにより、スパナ等の工具を用いずに３個の下側の内側ヒンジ部１１９Ａを発電機１上に組み立て可能としている。
【００７４】
また、前記各内側ヒンジ部受具１２３にはその両側片に風車軸１１５側に位置する図示しないピン孔及び突出端側に位置する横孔１２３ａを設けている。
【００７５】
一方、前記下側のアーム１１７の一端側にボルトナット締めで角柱状の連結体１１７ａを取り付け、この連結体１１７ａの突出端側に位置する図示しないピン孔及びアーム１１７の一端側に位置する抜孔１１７ｂを設けている。
【００７６】
そして、前記連結体１１７ａを前記内側ヒンジ部受具１２３の凹陥部分に挿入し、内側ヒンジ部受具１２３のピン孔及び連結体１１７ａのピン孔を貫通するようにピン１２５を装着することで、下側のアーム１１７を内側ヒンジ部受具１２３に対して前記ピン１２５を支軸として回動可能な合計３個の下側の内側ヒンジ部１１９Ａを構成している。
【００７７】
さらに、前記風車部１１２の図２に示すような使用位置においては、図１２に示すように、内側ヒンジ部受具１２３の横孔１２３ａと、連結体１１７ａの抜孔１１７ｂとを一直線配置となるように整列させ、この状態でこれらの孔にアーム固定ピン１２６を挿通することで、下側のアーム１１７を内側ヒンジ部受具１２３に対して回動不能とし、ブレード１１３の回転力を支障なく発電機１に伝達可能としている。
【００７８】
前記アーム固定ピン１２６の基端部には、図１１に示すように、ワイヤ又は鎖等からなる紐状体１２７の一端が取り付けられ、また、紐状体１２７の他端は前記平坦受体１２２の突出隅部に取り付けられて、これにより、前記アーム固定ピン１２６は下側の内側ヒンジ部１１９Ａから常に離脱することがなく、前記風車部１１２の使用位置への組み立て時の便宜を図っている。
【００７９】
このようなアーム固定ピン１２６の使用態様は、３個の下側の内側ヒンジ部１１９Ａにおいて共通である。
【００８０】
前記下側の外側ヒンジ部１１９Ｂは、図８、図９に示すように、下側のアーム１１７の他端に図示しないが前記連結体１１７ａと略同様な連結体を取り付け、ブレード１１３側に逆Ｕ状の外側ヒンジ部受具１２８を固着し、図示しない連結体と外側ヒンジ部受具１２８とを外側ピン１２９によりピン結合することで、下側のアーム１１７の他端側をブレード１１３に対して回動可能に連結することにより構成している。この下側の外側ヒンジ部１１９Ｂの構成は、３枚のブレード１１３に関して共通である。
【００８１】
次に、上側の内側ヒンジ部１１８Ａ及び上側の外側ヒンジ部１１８Ｂについて説明する。
【００８２】
前記上側の内側ヒンジ部１１８Ａは、図８に示すように、風車軸１１５の上端にこの風車軸１１５の上端と略同一面積の着脱円盤体１３０を着脱可能に連結し、この着脱円盤体１３０上に前記平坦受体１２２と同様な平坦受体１３１を固着し、さらに、平坦受体１３１に対して前記下側の内側ヒンジ部１１９Ａの内側ヒンジ部受具１２３に対応する配置で図示しないピン孔を設けた内側ヒンジ部受具１３２を取り付けている。
【００８３】
一方、上側のアーム１１７の一端側には、ボルトナット締めで角柱状の連結体１１７ｃを取り付け、この連結体１１７ｃの突出端側に図示しないピン孔を設け、内側ヒンジ部受具１３２のピン孔と連結体１１７ｃのピン孔とをピン１３３によりピン結合することで、風車軸１１５の上端領域において上側のアーム１１７を風車軸１１５に対して回動可能に連結している。
【００８４】
このような構成は、３個の上側の内側ヒンジ部１１８Ａに関して共通である。前記上側の外側ヒンジ部１１８Ｂは、３枚のブレード１１３に関して前記下側の外側ヒンジ部１１９Ｂと同様な構成としている。
【００８５】
上述した本実施例１に係る自然エネルギー利用可搬・組み立て式発電システム１０１の仕様の一例としては、発電出力例としては、風力発電手段の出力１４５Ｗ、太陽光発電手段の出力１００Ｗ、負荷への供給電圧：例えばＡＣ１００Ｖ、１ユニット最大高さ２ｍ以下、１ユニット重量３０ｋｇ以下、風速２０ｍ／ｓ以下での運用等の例を挙げることができる。尚、この仕様はあくまで一例でありこれに限定されるものでないことは言うまでもない。
【００８６】
本実施例１に係る自然エネルギー利用可搬・組み立て式発電システム１０１によれば、上述した構成としたことにより、図２に示すような使用状態において、風力、太陽光の双方の自然エネルギーを利用可能で自然環境への悪影響が無く、しかも、搬送に便利で、組み立ても簡略であり、所望の設置場所へ極めて容易に設置して所望の電力負荷への給電が可能であるという顕著な効果を奏する。
【００８７】
さらに詳述すると、前記支持脚体１０２、風力発電手段１１１、太陽光発電手段２０１及びコントロール部２０４を個別に分割して容易に搬送でき、これらを所望の場所に運び組み立てることで、自然エネルギー利用の独立型電源システムとして広範に活用できる。
【００８８】
また、災害時や緊急時における防災無線設備用電源や、携帯電話用の簡易基地局用電源として活用できる。
【００８９】
また、本実施例１に係る自然エネルギー利用可搬・組み立て式発電システム１０１によれば、前記風力発電手段１１１の風力利用、太陽光発電手段２０１による太陽光利用による自然エネルギーのみで発電出力を利用して所望の負荷に電力供給を行うことができるので、有害なＣＯ２を発生せず、地球環境破壊を招かないという大きな利点がある。
【００９０】
さらに、携帯型発電機のようなエンジンを搭載していないためエンジン騒音を全く出さない静かで騒音公害を招くことのない発電システムを構築できる。
【実施例２】
【００９１】
次に、図１３を参照して本発明の実施例２に係る自然エネルギー利用可搬・組み立て式発電システム１０１Ａについて説明する。
【００９２】
この実施例２に係る自然エネルギー利用可搬・組み立て式発電システム１０１Ａは、実施例１に係る自然エネルギー利用可搬・組み立て式発電システム１０１と略同様な構成であるが、前記太陽光発電手段２０１を省き、前記支持脚体１０２、風力発電手段１１１及びコントロール部２０４からなるシステム構成としたものである。
【００９３】
尚、図１３は、自然エネルギー利用可搬・組み立て式発電システム１０１Ａの使用状態を示すものである。
【００９４】
本実施例２に係る自然エネルギー利用可搬・組み立て式発電システム１０１Ａによっても、上述した場合と同様、風力からなる自然エネルギーを利用可能で自然環境への悪影響が無く、しかも、搬送に便利で、組み立ても簡略であり、所望の設置場所へ極めて容易に設置して所望の電力負荷への給電が可能であるという顕著な効果を奏する。
【産業上の利用可能性】
【００９５】
本発明の自然エネルギー利用可搬・組み立て式発電システムは、例えば、各種イベント会場、キャンプ場、登山隊のベースキャンプ等のような電力設備がない場所や、車両用のガソリンが入手できない場所等インフラ未整備の場所でも所望の電力負荷に電力を供給することができ独立電源システムとして広範囲に応用可能である。
適用可能である。
【符号の説明】
【００９６】
１    発電機
１０    発電機本体
１１    軸支体
１２    アウターロータ
１３    発電機軸
１３ａ  ネジ
１３ｂ  大径部
１３ｃ  突出円板部
１４    コアレス型コイル体
１４ａ  円形突出部
２１    上部ロータ
２１ａ  取り付け部
２１ｂ  ネジ孔
２２    固定ボルト
２３    主軸受
２４    マグネット
２５    円形突部
２６    円形ギア
３１    下部ロータ
３２    円形凹段部
３３    収容室
３４    取り付け部
３５    ネジ孔
４１    コイル部
４２    コイル部出力端
４３    ブラシ
４４    出力ケーブル
４５    円形ギア
４６    軸受
５１    逆転用ギア
５２    コロ軸受
６１    固定支持体
６１ａ  中央孔
６１ｂ  円形溝
６２    ナット
６３    軸受
６４    ネジ孔
７１    回転支持体
７１ａ  貫通孔
７１ｂ  円形突条
７２    ボルト
７３    支持軸受
８０    取り付けボルト
１０１    自然エネルギー利用可搬・組み立て式発電システム
１０１Ａ  自然エネルギー利用可搬・組み立て式発電システム
１０２    支持脚体
１０３    脚部
１０４    凹部
１０５    円筒部
１０６    ボルト
１１１    風力発電手段
１１２    風車部
１１３    ブレード
１１４    開口部
１１５    風車軸
１１５ａ  下端
１１６    折り畳み・展開アーム部
１１７    アーム
１１７ａ  連結体
１１７ｂ  抜孔
１１７ｃ  連結体
１１８Ａ  内側ヒンジ部
１１８Ｂ  外側ヒンジ部
１１９Ａ  内側ヒンジ部
１１９Ｂ  外側ヒンジ部
１２０    ネジ体
１２１    着脱円盤体
１２１ａ  凹陥部
１２２    平坦受体
１２２ａ  凹部
１２３    内側ヒンジ部受具
１２３ａ  横孔
１２４    ラチェット式締め付けハンドル
１２４ａ  段部
１２５    ピン
１２６    アーム固定ピン
１２７    紐状体
１２８    外側ヒンジ部受具
１２９    外側ピン
１３０    着脱円盤体
１３１    平坦受体
１３２    内側ヒンジ部受具
１３３    ピン
２０１    太陽光発電手段
２０２    太陽光発電パネル
２０３    箱
２０４    出力ケーブル
２１１    コントロール部
２１２    箱
２１３    コンセント部
【図１】
2011117363.tif 000003
【図２】
2011117363.tif 000004
【図３】
2011117363.tif 000005
【図４】
2011117363.tif 000006
【図５】
2011117363.tif 000007
【図６】
2011117363.tif 000008
【図７】
2011117363.tif 000009
【図８】
2011117363.tif 000010
【図９】
2011117363.tif 000011
【図１０】
2011117363.tif 000012
【図１１】
2011117363.tif 000013
【図１２】
2011117363.tif 000014
【図１３】
2011117363.tif 000015